(57)【要約】【課題】従来の衣類ハンガーの形状や機能構造は、洗濯物の天日干を含む衣類のハンガー着脱作業時に於ける、衣類の型崩れ防止への注意、ハンガー掛け作業後の風圧等による落下防止による衣類の汚染防止対応等、作業者の注意力、作業時間、並びに、作業者の労力負担に依存するところが多く、作業者の負担軽減への配慮がなされた形状と機能が完全に具備されたものとは云えない。【解決手段】  本発明は、これらの問題点を解決する衣類ハンガーを提供するもので、衣類ハンガーのハンガーアームを完全に閉じた状態で襟首口より挿入し、襟首口外にあるハンガーフック部からの操作により、胴の内部でのハンガーアームの展開と固定、並びに、取外し時のハンガーアームの閉鎖操作を行う機構構造と、衣類を懸架した後のハンガーアームの閉鎖防止機能、並びに、ハンガーの物干竿等からの脱落防止機能を併備し課題の問題点の完全解決を図るものである。【選択図】  図１
2005205125.tif 000002
【特許請求の範囲】
【請求項１】
底辺を共有する辺の長さの異なる二つの二等辺三角形で構成する四辺形の各頂点を可動構造とする事により、二つの対角線の長さを自由に変化し得る四辺形を構成し、その対称軸上の内角が鋭角から鈍角に連続的に変化し得る頂点を基点として各隣り合う頂点を通る辺を延長する構造体でハンガーアームを構成し、該両ハンガーアームの基点と対峙する該対称軸上の頂点にハンガーフック機構を具備し、該対象軸上の二点間の距離の制御を行う事によるハンガーアームの開閉と所定の距離に固定保持する事によるハンガーアームの展開状態の維持を司るハンガーアーム開閉制御機構を具備する衣類ハンガー。
【請求項２】
ハンガーフックを物干竿より取り外す動作により該ハンガーアームの展開固定保持機能を自動的に解除し、該ハンガーアームの展開固定状態を解除し、懸架した衣類の自重により襟首口よりのハンガーアームの抜き取りを可能とする機能構造を具備するハンガーアーム開閉制御機構を装備させた請求項１に述べる衣類ハンガー。
【請求項３】
衣類が装着された状態に於いて風圧等による該ハンガーアーム開閉制御機構の誤動作によるハンガーアームの展開固定状態の解除事故を防止し、且つ、ハンガーフック自体の物干竿等からの脱落防止機能構造を具備する請求項１に述べる衣類ハンガー。
【請求項４】
請求項１に述べる四辺形の各頂点を辺で繋ぐ構成の機構構造に換えて、平面状構造体上の左右対称軸上の頂点に該ハンガーフック機構を装着し、左右のハンガーアームの開閉に伴って移動する該可動三頂点を摺動保持する移動軌跡形状を持つガイド孔、又は、溝を設けて該三頂点を保持し、該左右のハンガーアームが共有する可動頂点に、請求項２、並びに、請求項３に述べる機能を具備するハンガーアーム開閉制御機構を装着して構成する衣類ハンガー。
【発明の詳細な説明】
【技術分野】
【０００１】  本発明は、ハンガーアームの開閉並びに展開維持固定機能を具備する衣類ハンガーに関する。
【背景技術】
【０００２】  一般的に衣類ハンガーの構造は、固定的な展開形状を持つハンガーアームとハンガーアームの中心部にハンガーフックを設けた形状であり、特に丸首シャ
2005205125.tif 000003
口の締ったものに用いる場合、襟首部周りの伸びを防止する為には衣類の裾の開放部よりハンガーを挿入し、ハンガーフックを襟首の開放部より取り出す作業を必要とする。【０００３】  同様に、衣類をハンガーより取り外す場合に於いても同様の動作が要求されると共にハンガーフック開放部先端による衣類の損傷から衣類を保護する注意力が要求され、これらが洗濯物の物干、並びに、取入時の作業負担となっている。【０００４】  該問題点を解決する手段として、昨今、ループ形状のハンガーアームの両端に蝶番機構を設けて接続したハンガーフック部分を一方のハンガーアーム方向に倒しハンガーフックとハンガーアームを掌で保持し、該保持拘束状態を維持する手首部分を含めたハンガー全体を襟首口部分より挿入し該衣類の胴内部で該拘束状態を解除し挿入した手によって該ハンガーフックを襟首口より引出す構造の物が市販されている。【０００５】  しかし、この場合のハンガーフックとハンガーを掌で握り締めた寸法値は、一般衣類の襟首開口部の寸法値に対する余裕が無く該襟首口が伸びる問題を完全に解決させるものではない。
【発明の開示】
【発明が解決しようとする課題】
【０００６】  本発明は、小児用を含む一般的な衣類への普遍的な適用性の維持のみならず、衣類の懸架と取込作業負担の飛躍的な改善を図る事を保障しようとするもので、以下の機能を満足する構造を持つ衣類ハンガーを提供しようとするものである。【０００７】  即ち、衣類のハンガーへの懸架作業並びに取込作業の簡素化と該作業に関る衣類自体の変形や損傷の阻止、並びに、衣類を懸架したハンガーの風圧等による物干竿からの脱落、及び、脱落による衣類汚染の防止機能を具備する普遍的な適応性を有する衣類ハンガーを提供しようとするものである。
【課題を解決する為の手段】
【０００８】  上記課題を解決する手段として、本発明は、辺の長さが異なる二つの二等辺三角形の底辺を共有させて構成する四辺形の各頂点に蝶番機構を設ける事により該四辺形の左右対称軸上にある一頂点の内角を鋭角から鈍角に亘り連続的に変化させ得る幾何学上の原理を活用し、使用者の意思に基づく自由なハンガーアームの開閉操作性、並びに、衣類懸架時の展開したハンガーアームの安定した保持機能とハンガー自体の安定した懸架性を実現させるものである。
【０００９】  即ち、頂角を鋭角から鈍角に変化させ得る該頂点を共有する基点とし、該三角形の底辺の両端にある各頂点に至る二辺を各々延長して左右のハンガーアームを構成し、該四辺形の左右対称軸上にある二頂点間の距離を制御するハンガーアーム開閉操作レバーを具備し基本構造を成立さる。
【００１０】  又、本発明の衣類ハンガーは、衣類を懸架した該ハンガーを物干竿に懸架した場合に於けるハンガーアーム開閉操作レバーの誤動作、並びに、風圧等による該ハンガーの落下による衣類の汚染事故防止に対するハンガーアーム開閉操作レバーとハンガーフックの機構上の工夫が為されたものである。
【００１１】  又、前述の機構構造に換えて、平板状の構造体に該四辺形の短辺で形成する二等辺三角形の三頂点の移動軌跡孔を設けて該三頂点の軸が該軌跡孔内を摺動するガイド機構構造とし、該ハンガーアームの接続点が摺動するガイド孔の延長上にハンガーフックを装着する事によっても前述の機能を満足させる事が出来る。
【発明の詳細な説明】
【００１２】  本発明の衣類ハンガーの実施例を、図１、図２、図３に示す。
【００１３】  図１、及び、図２は、請求項１、請求項２に述べる機構構造を持つ衣類ハンガーのハンガーアーム展開時、並びに、同ハンガーアーム閉鎖時の全体図を示し、図３は、請求項４に述べる機構構造で構成する衣類ハンガーのハンガーアーム展開時の全体図を示す。
【００１４】  以下、図１、図２、並びに、図３に示す衣類ハンガーの操作、並びに、各部分の機能構造に付き説明する。
【００１５】  図２のハンガーアームを閉じた状態でハンガーフック１０を保持し、ハンガーアーム５、６を衣類の襟首開口部より胴部に挿入し、ハンガーフックを保持した状態でハンガーアーム開閉操作レバー７を押し下げる事により蝶番２を押し下げハンガーアーム５、６、を衣類の内部で展開させる事が出来る。
【００１６】  上記操作の過程に於いて、ハンガーアーム開閉操作レバー７は図に示す湾曲部により蝶番１に沿って移動し、ハンガーアーム固定フック８が蝶番１を通過した時点でハンガーアーム開閉操作レバー７の蝶番１によるガイド状態が解除され、蝶番１がハンガーアーム固定フック８に嵌り込み蝶番１と２間の距離はハンガーアーム５，６が展伸した条件に保たれる。
【００１７】  この時、ハンガーアーム５，６に加わる衣類の重量により蝶番２を押上げ蝶番１をハンガーアーム固定フック８内に滑り込ませ逸脱することを防止する。この時の状態を図１に示す。
【００１８】  図１のハンガーアーム５、６、が展開している状態に於いて、蝶番１によりハンガーアーム構造部に連結されているハンガーフック１０の開口部を上向方向に傾ける事により、ハンガーフックのシャフトに設けたハンガーアーム開閉操作レバー保持部９により保持されているハンガーアーム開閉操作レバー７とハンガーフック１０のシャフトの並行維持状態が崩れ、ハンガーアーム固定フック８が蝶番１より離脱し、ハンガーアーム開閉操作レバー７の拘束が解除される事により、ハンガーアームの展開保持状態が解除されハンガーアーム５及び６は、衣類の重量により自動的に閉鎖し懸架された衣類は自動的にハンガーアームから脱落する。
【００１９】  又、衣類を装着した該ハンガーが物干竿等に懸架された条件に於いて、風圧等によりハンガーアーム５、６、が持ち上げられ、ハンガーアーム固定フック８が蝶番１から外れる事故が発生した場合に於いても、該ハンガーアーム開閉操作レバー７の機構は、ハンガーフック１０とハンガーアーム開閉操作レバー７により物干竿を狭持し、ハンガーアーム５，６、が閉鎖し懸架された衣類が脱落する事故の発生を防止する安全装置の働きを持つものである。
【００２０】  図３に示す機構は、図１、図２に示す蝶番１と蝶番３、並びに、蝶番１と蝶番４を連結する構造体で構成するハンガーアーム懸架機構に換えて、左右のハンガーアーム５、６とハンガーアーム開閉操作レバー７が共有する蝶番１２の垂直方向の移動軌跡孔１６、並びに、蝶番１３、蝶番１４の各々水平方向の移動軌跡孔１７と１５を、ハンガーフックの蝶番で懸架する平板状構造体１８に設けて図１、図２と同様の機能を満足させるものである。
【図面の簡単な説明】
【００２１】
【図１】ハンガーアーム展開時の全体構造図
【図２】ハンガーアーム閉鎖時の全体構造図
【図３】機構構造を異とするハンガーアーム展開時の全体構造図
【符号の説明】
【００２２】  １  ハンガーフック、及び、ハンガーアーム懸架機構接続蝶番
２  ハンガーアーム基点及びハンガーアーム開閉操作レバー接続蝶番
３  右ハンガーアーム懸架蝶番
４  左ハンガーアーム懸架蝶番
５  右ハンガーアーム
６  左ハンガーアーム
７  ハンガーアーム開閉操作レバー、
８  ハンガーアーム展開保持フック
９  ハンガーアーム開閉操作レバー保持部
１０  ハンガーフック
１２  ハンガーアーム基点蝶番
１３  左ハンガーアームスライドピン
１４  右ハンガーアームスライドピン
１５  右ハンガーアームスライドピン動作ガイド孔
１６  ハンガーアーム基点蝶番スライド孔
１７  左ハンガーアームスライドピン動作ガイド孔
１８  ハンガー懸架及びカム機構基盤
【図１】
2005205125.tif 000004
【図２】
2005205125.tif 000005
【図３】
2005205125.tif 000006